(57)【要約】【課題】簡易な構造で汎用性があり、取り付け取り外しが容易で且つ脱落が確実に防止し得るコンベックスの提供。【解決手段】コンベックス２は、コンベックス本体４と、爪６と、カラビナ式ツールフックに吊り下げるハンガー８とを備えている。爪６が屈曲部１２と、一端部１４と、他端部１６と、係合溝１８とを有している。一端部１４は、コンベックス本体に固定されている。他端部１６と一端部１４とが近づくことで係合溝１８の開口２０が狭められ、他端部１６と一端部１４とが離れることで係合溝１８の開口２０が広げられるように構成されている。係合溝１８の開口２０の巾が所定の巾に弾性力で維持されている。ハンガー８が環形状を有している。環形状の一部が基部２２を構成している。基部２２は、係合溝１８に通されている。【選択図】図１
0003152684.tif 000002
【実用新案登録請求の範囲】
【請求項１】
コンベックス本体と、コンベックス本体に固定された爪と、カラビナ式ツールフックに吊り下げるハンガーとを備えており、
この爪が屈曲部と、屈曲部から一方に延びる一端部と、屈曲部から他方に延びる他端部と、この屈曲部、一端部及び他端部に囲まれた係合溝とを有し、この一端部がコンベックス本体に固定されており、
この他端部と一端部とが近づくことで係合溝の開口が狭められ、この他端部と一端部とが離れることで係合溝の開口が開かれるように構成され、この係合溝の開口の巾Ｔ３が係合溝の巾Ｔ２より小さい状態に弾性力で維持されており、
このハンガーが環形状を有しており、この環形状の一部が基部を構成しており、この基部が爪の係合溝に通されているコンベックス。  
【請求項２】
上記基部の厚みＴ１が係合溝の開口の巾Ｔ３より大きくされている請求項１に記載のコンベックス。
【請求項３】
上記基部の軸線方向の長さＬ１が爪の係合溝の長さＬ２より長くされている請求項１又は２に記載のコンベックス。
【請求項４】
上記基部の厚みＴ１が係合溝の巾Ｔ２より小さくされており、
この基部の巾Ｗ１が係合溝の深さＷ２より小さくされている請求項１から３のいずれかに記載のコンベックス。
【請求項５】
上記基部が板を備えており、
この板の厚み方向が基部の厚みＴ１の方向に一致しており、
この板の巾Ｗ３の方向が基部の巾Ｗ１の方向に一致している請求項１から４のいずれかに記載のコンベックス。
【考案の詳細な説明】
【技術分野】
【０００１】
本考案は、コンベックスに関する。詳細には、本考案は、工具差しに吊り下げられるハンガーを備えたコンベックスに関する。
【背景技術】
【０００２】
建築現場や測量業務の現場では、寸法を測るためコンベックスが携帯される。このコンベックスは、腰袋や作業服のポケットに収容される。コンベックスを使用するときに、作業者は、腰袋やポケットからコンベックスを取り出す。
【０００３】
腰袋やポケットには、他の工具も収容されている。コンベックスは、他の工具に紛れ込んでいる。作業者は、コンベックスを手探りで探し出す。探りあてるのに時間がかかる。また、コンベックスを取り出す際に、他の工具がコンベックスと一緒に取り出されてしまう。コンベックスを取り出す作業に時間がかかる。
【０００４】
特開２０００−３９３２３号公報には、コンベックスの収容器が開示されている。この収容器は、コンベックス専用の収容部を備えている。この収容部は、コンベックスの外形に合わせた内部空間を備えている。この内部空間にコンベックスが収容されている。この収容器を用いることで、コンベックスが簡単に取り出され得る。コンベックスが簡単に収容され得る。
【先行技術文献】
【特許文献】
【０００５】
【特許文献１】特開２０００−３９３２３号公報
【考案の概要】
【考案が解決しようとする課題】
【０００６】
前述の収容器は、様々な外形のコンベックス毎に、その外形に合わせた内部空間を備える必要がある。様々なコンベックスに対応して、様々な収容器が製作される。この収容器は、汎用性に劣る。
【０００７】
収容部から取り出したコンベックスは、落下する恐れがある。高所作業では、落下したコンベックスを拾うのに手間がかかる。このためコンベックスは、この収容器やベルトなどに、鎖や紐などで予め連結させる必要がある。このように連結されたコンベックスは、作業者が使用しにくくなり易い。この収容器から取り外すのに手間がかかる。他のコンベックスへの取り換えに手間がかかる。
【０００８】
本考案の目的は、簡易な構造で汎用性があり、取り付け取り外しが容易で且つ脱落が確実に防止し得るコンベックスの提供にある。
【課題を解決するための手段】
【０００９】
本考案に係るコンベックスは、コンベックス本体と、コンベックス本体に固定された爪と、カラビナ式ツールフックに吊り下げるハンガーとを備えている。この爪が屈曲部と、屈曲部から一方に延びる一端部と、屈曲部から他方に延びる他端部と、この屈曲部、一端部及び他端部に囲まれた係合溝とを有している。この一端部は、コンベックス本体に固定されている。この他端部と一端部とが近づくことで係合溝の開口が狭められ、この他端部と一端部とが離れることで係合溝の開口が広げられるように構成されている。この係合溝の開口の巾Ｔ３が係合溝の巾Ｔ２より小さい状態に弾性力で維持されている。このハンガーが環形状を有している。この環形状の一部が基部を構成している。この基部は、爪の係合溝に通されている。
【００１０】
好ましくは、上記基部の厚みＴ１は、係合溝の開口の巾Ｔ３より大きくされている。好ましくは、上記基部の軸線方向の長さＬ１は、爪の係合溝の長さＬ２より長くされている。好ましくは、上記基部の厚みＴ１は、係合溝の巾Ｔ２より小さくされている。この基部の巾Ｗ１は、係合溝の深さＷ２より小さくされている。
【００１１】
好ましくは、このコンベックスでは、上記基部は、板を備えている。この板の厚み方向は、基部の厚みＴ１の方向に一致している。この板の巾Ｗ３の方向は、基部の巾Ｗ１の方向に一致している。
【考案の効果】
【００１２】
本考案に係るコンベックスは、カラビナ式ツールフックに簡単に取り付け取り外しが可能にされている。このコンベックスは、落下防止がされている。このハンガーは、コンベックス本体に簡単に取り付け取り外し可能にされている。このコンベックスは、建築現場などで使いやすくされている。
【図面の簡単な説明】
【００１３】
【図１】図１は、本考案の一実施形態に係るコンベックスの斜視図である。
【図２】図２（ａ）は図１のコンベックスのハンガーが示された正面図であり、図２（ｂ）はそのハンガーの断面図である。
【図３】図３は、図１のコンベックスが取り付けられるカナビラ式シールホルダーの斜視図である。
【図４】図４は、図１のコンベックスの使用状態が示された断面図である。
【図５】図５は、図４（ａ）の矢印Vでしめされた部分の拡大図である。
【図６】図６は、図３のカナビラ式ツールフックのカナビラ本体及びゲートバーの使用状態が示された側面図である。
【図７】図７は、図４のカナビラ式ツールフックのカナビラ本体及びゲートバーの使用状態が図１のコンベックスのハンガーの一部と共に示された側面図である。
【図８】図８は、図４のカナビラ式ツールフックのカナビラ本体及びゲートバーの他の使用状態が図１のコンベックスのハンガーの一部と共に示された側面図である。
【図９】図９（ａ）は本考案の他の実施形態に係るコンベックスに用いられるハンガーが示された正面図であり、図９（ｂ）はそのハンガーの断面図である。
【考案を実施するための形態】
【００１４】
以下、適宜図面が参照されつつ、好ましい実施形態に基づいて本考案が詳細に説明される。
【００１５】
図１に示すように、このコンベックス２は、コンベックス本体４、爪６及びハンガー８を備えている。図１において、矢印Ｘは、左右方向右向きを示している。矢印Ｙは、前後方向前向きを示している。矢印Ｚは、上下方向上向きを示している。説明の便宜上、この左右方向、前後方向及び上下方向を用いて説明がされている。このコンベックス本体４の内部に、測定テープ１０が収容されている。この測定テープ１０は巻き取られている。この測定テープ１０が繰り出されて、寸法の測定がされる。この測定テープ１０は、図示されない弾性体の付勢力により、巻き取られるように構成されている。
【００１６】
爪６は、板ばねからなる。この爪６は、屈曲部１２、一端部１４、他端部１６及び係合溝１８を備えている。この爪６では、一端部１４と他端部１６とが前後方向に重なり合うように、屈曲部１２が折り曲げられている。係合溝１８は、この屈曲部１２、一端部１４及び他端部１６により囲まれた空間である。この係合溝１８は、左右方向に開口された空間である。図１の両矢印Ｌ２は、左右方向の爪６の巾を示している。この巾Ｌ２は、係合溝１８の左右方向の長さでもある。この一端部１４は、コンベックス本体４に固定されている。他端部１６は、屈曲部１２側から先端に向かって徐々にコンベックス本体４に近づく様に延びている。この他端部１６が前後方向で最も一端部１４側に近づく位置に開口２０が形成されている。他端部１６は、この開口２０の位置から更に先端に向かって、徐々にコンベックス本体４から離れる様に延びている。
【００１７】
図２（ａ）に示されるように、このハンガー８は、環形状である。このハンガー８は、基部２２、係合部２４及び一対の連結部２６を備えている。基部２２は、左右方向に延びている。この基部２２の上方に係合部２４が位置している。係合部２４は、左右方向に延びている。係合部２４は、上方に凸に屈曲させられている。連結部２６は、基部２２と係合部２４との間に位置している。連結部２６は、上下方向に延びている。基部２２の左端が一方の連結部２６の下端に接続され、係合部２４の左端が一方の連結部２６の上端に接続されている。基部２２の右端が他方の連結部２６の下端に接続され、係合部２４の右端が他方の連結部２６の上端に接続されている。このように基部２２、係合部２４及び一対の連結部２６が連続して、環形状が形成されている。
【００１８】
図２（ａ）の両矢印Ｌ１は、基部２２の左右方向の長さを示している。この長さＬ１は、基部２２の軸線方向の長さである。図２（ｂ）は、図２（ａ）のＢ−Ｂ線に沿った断面が示されている。図２（ｂ）の断面は、基部２２の軸線に垂直な断面である。図２（ｂ）の両矢印Ｔ１は、基部２２の前後方向の厚みを示している。両矢印Ｗ１は、基部２２の上下方向の巾を示している。基部２２の巾Ｗ１は、厚みＴ１より大きくされている。
【００１９】
図３は、カナビラ式ツールフック２８の斜視図である。このカナビラ式ツールフック２８は、コンベックス２を吊り下げるために用いられる。このカナビラ式ツールフック２８は、取付板３０、カナビラ本体３２及びゲートバー３４を備えている。取付板３０に、４つのスリット３６が形成されている。このスリット３６は、上下方向に延びている。この取付板３０の左右方向中央にカナビラ本体３２が固定されている。カナビラ本体３２は、取付板３０に溶接されている。
【００２０】
カナビラ本体３２は、上下方向に延びる棒体３８と、この棒体３８の上端から屈曲して前方下方に延びる上部屈曲部４０と、棒体３８の下端から屈曲して前方上方に延びる下部屈曲部４２からなる。上部屈曲４０の前方下方に延びる先端部４４と下部屈曲部４２の前方上方に延びる先端部４６との間には、フック開口４８が形成されている。ゲートバー３４の上端部５０は、上部屈曲部４０の先端部４４に軸着されている。ゲートバー３４の下端部５２は、下部屈曲部４２の先端部４６に接している。図示されないが、ばねの付勢力により、ゲートバー３４の下端部５２が先端部４６に当接する向きに付勢されている。ゲートバー３４は、このフック開口４８を塞いでいる。
【００２１】
図４（ａ）及び図４（ｂ）は、図１のコンベックス２の使用状態を示している。図５は、図４（ａ）の矢印Ｖで示された部分拡大図である。図５の両矢印Ｔ２は、係合溝１８の前後方向の巾を示している。この巾Ｔ２は、係合溝１８の最大巾である。両矢印Ｔ３は、前後方向の開口２０の巾を示している。この係合溝１８の巾は、巾Ｔ２から巾Ｔ３に向かって徐々に巾が狭くされている。図５の両矢印Ｗ２は、この係合溝１８の上下方向の深さを示している。この深さＷ２は、係合溝１８の上方端から開口２０までの深さである。この深さＷ２は、基部２２の巾Ｗ１より大きくされている。
【００２２】
このハンガー８が爪６に取り付けられる方法が説明される。基部２２の厚みＴ１の方向が開口２０の巾Ｔ３の方向に合わせられた状態で、ハンガー８の基部２２が係合溝１８に挿入される。厚みＴ１は、巾Ｔ３より大きい。この巾Ｔ３が広がる向きに爪６の他端部１６が弾性変形する。厚みＴ１は、巾Ｔ２より小さい。基部２２が係合溝１８の上方端まで押し込まれると、爪６の他端部１６は、弾性変形する前の状態に戻る。これにより、図４（ａ）に示された状態に戻る。このハンガー８は、爪６に容易に取り付けることが出来る。爪６の他端部１６の先端とコンベックス本体４までの間隔は、開口２０の位置に位置する他端部１６の部分とコンベックス本体４までの間隔より広くされている。これにより、このハンガー８は、爪６に一層容易に取り付けることが出来る。
【００２３】
このハンガー８が爪６から取り外される方法が説明される。図４（ａ）に示されるように、基部２２の厚みＴ１の方向が開口２０の巾Ｔ３の方向に合わせられる。このハンガー８が、下向きに押し下げられる。厚みＴ１は、巾Ｔ３より大きいので、巾Ｔ３が広がる向きに他端部１６が弾性変形する。基部２２が係合溝１８から押し出される。爪６の他端部１６は、弾性変形する前の状態に戻る。ハンガー８が爪６から取り外される。このハンガー８は、爪６から容易に取り外すことが出来る。
【００２４】
このコンベックス２では、爪６の係合溝１８の長さＬ２が基部２２の軸線方向の長さＬ１より小さい。このハンガー８は、爪６と同様の構造を備える他のコンベックスにも取り付けられる。このハンガー８は、汎用性に優れている。基部２２の長さＬ１は長いことが好ましい。長さＬ１の長い基部２２は、より長さＬ２の長い爪に取り付けられる。この観点から、この長さＬ１は２５ｍｍ以上が好ましく、３０ｍｍ以上が更に好ましい。この長さＬ１が短いハンガー８は、左右方向にコンベックス２からはみ出さない。長さＬ１の短いハンガー８を備えたコンベックス２は、収納しやすい。この観点から、この長さＬ１は６０ｍｍ以下が好ましく、５０ｍｍ以下が更に好ましい。
【００２５】
図５に示されるように、ハンガー８の基部２２が、爪２２の係合溝１８に通されている。係合溝１８の巾Ｔ２に対して、基部２２の厚みＴ１は小さい。係合溝１８の深さＷ２に対して、基部２２の巾Ｗ１は小さい。これにより、ハンガー８は、図４（ａ）の姿勢で安定的に支持されている。図４（ｂ）は、爪８の係合部２４が下方に下げられた状態が示されている。
【００２６】
図４（ａ）の状態で、ハンガー８の係合部２４が、矢印Ｆ１の向きに起こされる。爪６の基部２２は、その軸線方向を回転軸にして回転する。ハンガー８が前後方向に起こさる。図４（ｂ）には、このハンガー８が起こされた状態が二点鎖線で示されている。基部２２の巾Ｗ１は、係合溝１８の巾Ｔ２より大きい。基部２２の回転により、係合溝１８は、巾Ｔ２の方向に押し広げられる。爪６は、ハンガー８の回動により、二点鎖線で示されるように弾性変形する。爪６の他端部１６は、その弾性力で基部２２を付勢する。他端部１６は、係合溝１８を狭める向きに基部２２を付勢する。更に矢印Ｆ２の向きに係合部２４が下方に下ろされる。この他端部１６の付勢力により、係合部２４は下方に移動させられる。ハンガー８は、図４（ｂ）に実線で示される状態になる。図４（ｂ）の姿勢で、ハンガー８は、安定的に支持されている。このコンベックス２では、ハンガー８の係合部２４が下方に下げられた状態（図４（ｂ）の状態）で、係合部２４がコンベックス本体４の上下方向にはみ出さない。このコンベックス２は、携帯及び収納に適している。
【００２７】
図３に示された取付板３０のスリット３６にベルトが通される。これにより、カナビラ式ツールフック２８がベルトに装着される。図６（ａ）には、図３に示されたカナビラ式ツールフック２８のカナビラ本体３４及びゲートバー３４の使用状態が示されている。図６のＦ３は、図示されないばねの付勢力の向きを示している。図６（ｂ）には、フック開口４８が開口された使用状態が示されている。図６（ａ）の状態で、何らかの外力Ｆ４がゲートバー３４に加えられる。図６（ａ）に示されるように、ゲートバー３４は、付勢力Ｆ３に抗して回動している。下端部５２は、カナビラ本体３２の内側に向かって移動している。この外力Ｆ４が取り除かれると、ゲートバー３４が回動する。下端部５２は、カナビラ本体３２の外側に向かって移動する。下端部５２は、下部屈曲部の先端部４６に当接する。この先端部４６は、ゲートバー３４の回動のストッパーとして機能する。フック開口４８が塞がれる。これにより、カナビラ式ツールフック２８は、図６（ａ）の状態に戻る。
【００２８】
図７には、カナビラ本体３２へのハンガー８の吊り下げ方法が示されている。図７（ａ）に示されるように、ハンガー８の係合部２４が、ゲートバー３４に押し付けられる。図７（ｂ）に示されるように、ばねの付勢力Ｆ３に抗して、ゲートバー３４が回動する。下端部５２が、カナビラ本体３２の内側向きに移動する。フック開口４８が開口する。係合部２４が下方に下げられる。ゲートバー３４に当接していた係合部２４がゲートバー３４から外れる。ゲートバー３４は、ばねの付勢力Ｆ３により、回動する。下端部５２は、カナビラ本体３２の外側向きに移動する。図７（ｃ）に示される様に、下端部５２は、下部屈曲部４２の先端部４６に当接する。この先端部４６は、ゲートバー３４の回動のストッパーとして機能するので、ゲートバー３４のそれ以上の回動が規制されている。フック開口４８が塞がれる。なお、ゲートバー３４に当接させるハンガー８の部分は、係合部２４に限られない。ハンガー８の連結部２６など他の部分が当接されてもよい。
【００２９】
コンベックス２は、ハンガー８を備えているので、カナビラ式ツールフック２８に簡単に吊り下げることが出来る。下部屈曲部４２の先端部４６がゲートバー３４の下端部５２のストッパーとして機能している。コンベックス２がいずれの方向に引かれたも、ハンガー８はカナビラ式ツールフック２８から外れない。このコンベックス２は、脱落が確実に抑制されている。
【００３０】
カナビラ式ツールフック２８に吊り下げられた状態で、コンベックス２から、測定テープ１０が引き出され得る。コンベックス２は、カナビラ式ツールフック２８に吊り下げられているので、測定テープ１０を片手で引き出すことが出来る。このコンベックス２は、片手で使用し得る。
【００３１】
図８には、カナビラ本体３２からのハンガー８の取り外し方法が示されている。図８（ａ）に示されるように、ハンガー８の一方の連結部２６が、下部屈曲部４２の内側に押し当てられる。他方の連結部２６が、ゲートバー３４の外側に押し当てられる。図８（ｂ）に示されるように、この一方の連結部２６の軸線を回転軸として、ハンガー８が回動させられる。他方の連結部２６が矢印Ｆ５の向きに移動させられる。ゲートバー３４は、他方の連結部２６により回動させられる。下端部５２がカナビラ本体３２の内側向きに移動させられる。開口４８が開口される。更に、他方の連結部２６が矢印Ｆ５の向きに移動させられる。ゲートバー３４と他方の連結部２６との当接が外れる。ゲートバー３４がばねの付勢力Ｆ３により、回動する。下方端５２が、開口４８を塞ぐ向きに移動する。図８（ｃ）に示されるように、この下端部５２が下部屈曲部４２の先端部４６に当接する。開口４８が塞がれる。この８（ｃ）の状態で、カナビラ式ツールフック２８からハンガー８が取り外されている。
【００３２】
このコンベックス２は、簡単にカナビラ式ツールフック２８から取り外すことが出来る。このコンベックス２は、片手でカナビラ式ツールフック２８から取り外すことが出来る。
【００３３】
図９は、本考案に係る他の実施形態に係るコンベックスに取り付けられるハンガー５６が示されている。このハンガー５６は、環形状である。このハンガー５６は、基部５８、係合部６０及び一対の連結部６２を備えている。基部５８は、左右方向に延びている。この基部５８の上方に係合部６０が位置している。係合部６０は、左右方向に延びている。係合部６０は、上方に凸に屈曲させられている。連結部６２は、基部５８と係合部６０との間に位置している。連結部６２は、上下方向に延びている。基部５８の左端が一方の連結部６２の下端に接続され、係合部６０の左端が一方の連結部６２の上端に接続されている。基部５８の右端が他方の連結部６２の下端に接続され、係合部６０の右端が他方の連結部６２の上端に接続されている。このように基部５８、係合部６０及び一対の連結部６２が連続して、環形状が形成されている。
【００３４】
図９（ｂ）は、図９（ａ）のＢ−Ｂ線に沿った断面が示されている。基部５８は、板６４を備えている。板６４は、細長い板形状を有する。この板６４の長手方向が、基部５８の軸線方向にされている。図９（ｂ）の両矢印Ｔ１は、基部５８の前後方向の厚みを示している。この厚みＴ１は、基部５８の前後方向に最も大きい厚みである。この板６４の厚みＴ１の方向がこの厚みＴ１の方向にされている。両矢印Ｗ１は、基部５８の上下方向の巾を示している。両矢印Ｗ３は、板６４の巾を示している。この板６４の巾Ｗ３の方向がこの厚みＴ１の方向にされている。この巾Ｗ１は、板６４の巾Ｗ３を含んでいる。このコンベックスのその他の構成は、コンベックス２と同様であり、その説明が省略される。このハンガー５６も、前述のハンガー８と同様に使用され得る。このハンガー５６も、ハンガー８と同様の効果を有する。
【００３５】
更に、基部５８の巾Ｗ１は、板６４の巾Ｗ３を変更することにより容易に大きく出来る。巾Ｗ１が爪６の係合溝１８の巾Ｔ２より十分に大きいコンベックスでは、基部５８の軸線を回転軸とする回転が規制される。ここでいう、巾Ｗ１が巾Ｔ２より十分に大きいとは、係合溝１８の巾Ｗ１の大きさが爪６の弾性変形の許容範囲を超える大きさであることをいう。このコンベックスでは、ハンガー５６が、一つの位置に安定的に保持され得る。この板６４は基部５８の下方に位置しているが、上方に位置させても良い。
【符号の説明】
【００３６】
２・・・コンベックス
４・・・コンベックス本体
６・・・爪
８・・・ハンガー
１０・・・測定テープ
１２・・・屈曲部
１４・・・一端部
１６・・・他端部
１８・・・係合溝
２０・・・開口
２２、５８・・・基部
２４、６０・・・係合部
２６、６２・・・連結部
２８・・・カナビラ式ツールフック
３０・・・取付板
３２・・・カナビラ本体
３４・・・ゲートバー
３６・・・スリット
３８・・・棒体
４０・・・上部屈曲部
４２・・・下部屈曲部
４４、４６・・・先端部
４８・・・フック開口
５０・・・上端部
５２・・・下端部
５４・・・コンベックス
５６・・・ハンガー
６４・・・板
【図１】
0003152684.tif 000003
【図２】
0003152684.tif 000004
【図３】
0003152684.tif 000005
【図４】
0003152684.tif 000006
【図５】
0003152684.tif 000007
【図６】
0003152684.tif 000008
【図７】
0003152684.tif 000009
【図８】
0003152684.tif 000010
【図９】
0003152684.tif 000011